(57)【特許請求の範囲】
【請求項１】
噴霧器本体（１）と，噴霧器本体（１）の一方下部に着脱可能に螺合された液体の瓶（２）と，他方下部に着脱可能に螺合されたガスカートリッジ（３）と，液体の瓶（２）とガスカートリッジ（３）を収納するカバー容器（４）とからなり、
噴霧器本体（１）は先端部分（５）と中央部分（６）と圧力調整部分（７）とを備え，
先端部分（５）は、中央部分（６）の一方端部に設けられた嘴管（８）からなり、当該嘴管（８）は内部が空洞（９）になっており、当該空洞（９）には液体が通過する管（１１）が設けられ、当該管（１１）は当該嘴管（８）の先端から中央部分（６）の内部を通り液体の瓶（２）の底部まで伸びており、かつ当該嘴管（８）は先端に噴射口（１２）があり、
中央部分（６）は、内部に空洞部分（１３）を有し、当該空洞部分（１３）には先端部分（５）から、液体の瓶（２）の底部まで伸びる当該管（１１）を有し、上部下端部には引き金（１４）が設けられ、中央部には当該引き金（１４）に当接するよう作動軸（１５）が設けられ、当該作動軸（１５）は引き金（１４）とは反対側に弾性部材（１６）が設けられ、当該弾性部材（１６）には当該引き金（１４）方向側に蓋部材（１７）が設けられ、当該作動軸（１５）が収納されている部分は空洞（１８）になっており、当該空洞（１８）は当該空洞部分（１３）と一体を成しており、下端部は液体の瓶（２）を螺合するようにネジ状（１０）を有しており、
圧力調整部分（７）は引き金（１４）を引くことで減圧される減圧弁（１９）と減圧弁（１９）の内部に弾性部材（２０）を有する圧力調整つまみ（２１）を有し、当該減圧弁（１９）の内部は当該空洞部分（１８）と一体となるよう空洞となっており、かつ当該減圧弁（１９）の下端部には穴あけ部材（２２）が設けられ、下端部はさらにガスカートリッジ（３）を螺合するようネジ状（２３）になっていることを特徴とするカートリッジ式携帯噴霧器。
【請求項２】
液体の瓶（２）の上部が中央部分（６）の下端部と螺合するようネジ状になっていることを特徴とする請求項１に記載のカートリッジ式携帯噴霧器。
【請求項３】
ガスカートリッジ（３）の上部が減圧弁（１９）の下端部と螺合するようにネジ状になっていることを特徴とする請求項１又は２のいずれかに記載のカートリッジ式携帯噴霧器。
【請求項４】
液体の瓶（２）に入っている液体が薬液であることを特徴とする請求項１から３のいずれかに記載のカートリッジ式携帯噴霧器。
【請求項５】
液体の瓶（２）に入っている液体が水、消毒液又はカラー液であることを特徴とする請求項１から３のいずれかに記載のカートリッジ式携帯噴霧器。
【請求項６】
ガスカートリッジ（３）に入っているガスが圧縮炭酸ガスであることを特徴とする請求項１から５のいずれかに記載のカートリッジ式携帯噴霧器。
【請求項７】
ガスカートリッジ（３）に入っているガスが圧縮窒素ガス又は圧縮ヘリウムガスであることを特徴とする請求項１から５のいずれかに記載のカートリッジ式携帯噴霧器。
【請求項８】
空洞（９）には液体が通過する管（１１）を支持する支持部材（２４）が設けられていることを特徴とする請求項１に記載のカートリッジ式携帯噴霧器。
【請求項９】
作動軸（１５）の中央部分（６）に当接する部分には弾性部材（２５）が設けられていることを特徴とする請求項１に記載のカートリッジ式携帯噴霧器。
【請求項１０】
蓋部材（１７）には引き金（１４）方向側にパッキング（２６）が設けられていることを特徴とする請求項１に記載のカートリッジ式携帯噴霧器。
【請求項１１】
穴あけ部材（２２）の先端が針状になっていることを特徴とする請求項１に記載のカートリッジ式携帯噴霧器。
【請求項１２】
カートリッジ式携帯噴霧器のうち液体の瓶は透明ポリカーボネート製であり、その他はアルミ軽合金製であることを特徴とする請求項１〜１１のいずれかに記載のカートリッジ式携帯噴霧器。
【発明の詳細な説明】
【０００１】
【発明が属する技術分野】
本発明は、噴霧器本体とガスカートリッジと液体の瓶とを有する多目的に使用することが出来るカートリッジ式携帯噴霧器に関する。
【０００２】
【従来の技術】
従来より噴霧器は外気を圧縮して噴霧する形式の物が使用されている。この噴霧器は植物に水をやる場合、家具等をクリーンにする場合等家庭的、一般的に使用されている。
【０００３】
又、従来病院、診療所等において患者の患部を洗浄、消毒及び滅菌等をする場合、薬液を塗布又は散布するが、その場合薬液をゴム球等の手動により噴霧する手動式及び薬液をモーターの動力で噴霧する電動式がある。
【０００４】
【発明が解決しようとする課題】
従来の家庭的、一般的に使用されている噴霧器は衛生上等の問題があり医療用には使用できず、又医療用の手動式、電動式の噴霧器は家庭的、一般的には使用出来ない。
【０００５】
又病院用の手動式では薬液瓶とゴム球部が一体となっていない形式のものが使用されているが、この形式では両手が塞がって不便であること、電動式ではモーターが器具本体に構造上取り付けることが出来ないため診療台に入っており、器具と台がエアーホースで繋がっていることになり診療の行動範囲に制約が生じること、充填式の場合では間近に充填する装置と直結するコンプレッサー等のユニットが必要となり、そのため診療等の作業効率に制約がある等の問題点があり。さらに手動式、電動式ともに診療室等の部屋内の空気を利用するので塵埃、雑菌、カビの胞子、ダニの糞、花粉等の浮遊する有害物の混入の影響を受け、そのため生じる院内感染等の問題があった。
【０００６】
そこで、本発明は医療用にも、家庭的、一般的にも使用でき、かつ有害物の混入することがなく、又、医療用の場合は両手が塞がることがなく、行動範囲に制約が生じることがなく、診療等の作業効率が良くかつ有害物の混入することがなく院内感染を防止することが出来る等、多目的に使用することが出来るカートリッジ式携帯噴霧器を提供することを目的とする。
【０００７】
【課題を解決するための手段】
前記目的を達成するため、本発明のカートリッジ式携帯噴霧器は、噴霧器本体と，噴霧器本体の一方下部に着脱可能に螺合された液体の瓶と，他方下部に着脱可能に螺合されたガスカートリッジと，液体の瓶とガスカートリッジを収納するカバー容器と，からなる。
【０００８】
前記噴霧器本体は先端部分と中央部分と圧力調整部分と，からなることが好適である。
【０００９】
前記先端部分は、中央部分の一方端部に設けられた嘴管からなり、当該嘴管は内部が空洞になっており、当該空洞には液体が通過する管が設けられ、当該管は当該嘴管の先端から中央部分の内部を通り前記液体の瓶の底部まで伸びており、かつ当該嘴管は先端に噴射口があること、前記中央部分は、内部に空洞部分を有し、当該空洞部分には先端部分から、液体の瓶の底部まで伸びる当該管を有し、上部下端部には引き金が設けられ、中央部には当該引き金に当接するよう作動軸が設けられ、当該作動軸は引き金とは反対側に弾性部材が設けられ、当該弾性部材には当該引き金方向側に蓋部材が設けられ、当該作動軸が収納されている部分は空洞になっており、当該空洞は当該空洞部分と一体を成しており、下端部は前記液体の瓶を螺合するようにネジ状を有していること、前記圧力調整部分は減圧弁と当該減圧弁の内部に弾性部材を有する圧力調整つまみを有し、当該減圧弁の内部は当該空洞部分と一体となるよう空洞となっており、かつ当該減圧弁の下端部には穴あけ部材が設けられ、下端部はさらに前記ガスカートリッジを螺合するようネジ状になっていることが望ましい。
【００１０】
前記液体の瓶の上部が中央部分の下端部と螺合するようネジ状になっていること、前記ガスカートリッジの上部が減圧弁の下端部と螺合するようにネジ状になっていること、前記液体の瓶に入っている液体が薬液であること、前記液体の瓶に入っている液体が水、消毒液又はカラー液であること、前記ガスカートリッジに入っているガスが圧縮炭酸ガスであること、前記ガスカートリッジに入っているガスが圧縮窒素ガス又は圧縮ヘリウムガスであること、前記空洞には液体が通過する管を支持する支持部材が設けられていること、前記作動軸の中央部分に当接する部分には弾性部材が設けられていること、前記蓋部材には前記引き金方向側にパッキングが設けられていること、前記穴あけ部材の先端が針状になっていること、前記ガスカートリッジの蓋が薄い金属で出来ていること、前記カートリッジ式携帯噴霧器のうち液体の瓶は透明ポリカーボネート製であり、その他はアルミ軽合金製であることが好ましい。
【００１１】
本発明は、ガスの入っているガスカートリッジと液体の入っている液体の瓶とを別々に設け、噴霧器本体に螺合すれば良いので、液体がなくなった場合又は別の液体に変える場合等、液体の瓶の交換が簡単に行うことが出来、ガスカートリッジのガスがなくなった場合も同様に簡単に交換することが出来る。
【００１２】
ガスカートリッジに入れるガスは圧縮炭酸ガス、圧縮窒素ガス、圧縮ヘリウム等であるが、なかでも炭酸ガスは無色、無臭、不燃性、無毒であり、かつ化学的に安定しており入手しやすく一番好適である。又窒素は、無色、無味、無臭で安定しており、ヘリウムは血液に溶けにくく、人体に対し極めて安定しているのでこれらも好適である。
【００１３】
液体の瓶に入れる液体は、薬液、水、植物等に散布するための消毒液、模型等にカラー塗装するためのカラー液等であるが、用途に応じどのような液体でも良い。
【００１４】
減圧弁の圧力調整つまみの調整によって粘性の異なる液体を安定して噴霧する事が可能であり、従って、本発明の噴霧器は医療用と限定せずに家庭的、一般的にも多目的に使用出来るものである。
【００１５】
ガスカートリッジに入れるガス、液体の瓶に入れる液体は入れる際に雑菌等が混入しない状態で入れるので特に医療用には適しているものである。
【００１６】
圧縮炭酸ガス等により液体を噴霧するのでエアーホース等の必要がなく、又ガスカートリッジ及び液体の瓶共に噴霧器本体と一体となるので外部補助装置（コンプレッサーなど）等を使用せず本発明の噴霧器それ自体で使用できるため、機動性、汎用性にすぐれいつでも簡単に使用することが出来るものである。
【００１７】
以下本発明の実施の形態の一例を図面に基づいて説明する。
【００１８】
図１において、液体の瓶２とガスカートリッジ３がカバー容器に収納されている。液体の瓶２は用途に応じ、薬液、水、消毒液等が入っている。ガスカートリッジには圧縮炭酸ガス、圧縮窒素ガス又は圧縮ヘリウムガスが入っているが圧縮炭酸ガスが好適である。
【００１９】
液体の瓶２の上部及び中央部分６の下端部は双方が螺合するように、ネジ状になっている。ガスカートリッジ３の上部及び減圧弁１９の下端部も双方が螺合するように、ネジ状になっている。ネジで螺合するのが一番しっかりと固定されるが、固定されるのであれば他のどのような方法でもよい。
【００２０】
液体を通過する管１１が、先端部分５の内部に設けられている内が空洞の嘴管８の内に配置され先端部分５の先端から中央部分６の内部が空洞となっている空洞部分１３を通り液体の瓶２の底部まで伸び、液体の瓶に入っている薬液、水、消毒液、カラー液等の通り道になっている。嘴管８には図２に示すように液体を通過する管１１が動かないようにしっかりと固定するように支持部材２４が設けられており、さらに噴射口１２が設けられている。
【００２１】
中央部分６の上部下端部には引き金１４が設けられ、引き金１４に当接するよう作動軸１５が設けられている。そこでこの引き金１４を手で引いたり離したりすることにより、作動軸１５が作動し、前後に動くようになっている。
【００２２】
作動軸１５には引き金１４の反対側に弾性部材１６が設けられ、弾性部材１６は好適にはバネであるが、当該、弾性部材１６には引き金１４方向側に蓋部材１７が設けられ、蓋部材１７にはゴムが好適である弾性部材２５が設けられ、噴霧しない場合には圧縮ガス、圧縮窒素ガス又は圧縮ヘリウムガス等のガスが中央部分６のほうへ流れないようになっている。さらに作動軸１５には引き金１４方向側に噴霧するとき前記ガス及び薬液等の液体が漏れないように中央部分６の側面の壁２７としっかりと固定するようにパッキング２６が設けられている。
【００２３】
当該作動軸１５が収納されている部分は空洞１８になっており、空洞部分１３と一体となっている。
【００２４】
当該空洞部分１８と一体になるように内が空洞になっている減圧弁１９と、減圧弁１９の上部には弾性部材、好適にはバネ２０を有する圧力調整つまみ２１が設けられ、減圧弁１９の下端部には穴あけ部材２２が設けられ、当該減圧弁１９、当該圧力調整つまみ２１、当該穴あけ部材２２が圧力調整部分７を成している。
【００２５】
穴あけ部材２２は針状をなしており、又ガスカートリッジ３の蓋が薄い金属で出来ているため減圧弁１９に螺合する際に穴あけ部材によりガスカートリッジの蓋に穴があき減圧弁に圧縮窒素ガス等のガスが充満するようになっている。
【００２６】
又液体の瓶２は一般的に瓶等で使用されているネジ式の蓋等で蓋をされているがこの蓋をはずして液体が通過する管１１を通すことが出来るようになっている。
【００２７】
そこで、引き金１４を引くことにより作動軸１５が作動し、減圧弁１９の内の圧縮ガス等のガスが中央部分６の空洞部分１３に流れ、さらに液体の瓶２の内に流れるようになっている（減圧弁１９内は減圧される）。液体の瓶２の内の薬液等の液体はこのガス圧によって下へ押しやられ液体が通過する管１１にこの液体が入り込むことになる。さらに当該ガス及び当該液体が先端部分５の先端で合流し図２に示すように噴射口１２から噴射するようになっている。
【００２８】
液体の瓶２の内に入れる薬液の種類、水、消毒液の種類、カラー液の種類によって粘性が異なる場合があるが当該粘性の種類により圧力調整つまみ２１により調整すれば良い。
【００２９】
本発明のカートリッジ式携帯噴霧器のうち液体の瓶は透明ポリカーボネート製であり、その他はアルミ軽合金製で、片手で操作できるよう小型である。カバー容器４には薬液等の残量を確認できるよう窓が設けられている（図示せず）。
【００３０】
【発明の効果】
本発明は液体の瓶及びガスカートリッジが小型で均一の大きさでできており、しかもアルミ軽合金製の容器に入っているため壊れにくく、箱等に入れる場合整理しやすく、持ち運びに便利である。
【００３１】
液体の瓶に入れるのが薬液の場合、当該瓶が透明ポリカーボネート製で、小型であるから、飛行機、船舶、トラック等で運ぶ場合でも壊れにくく、場所をとらず、大量に運ぶことが出来る。しかも液体の瓶及びガスカートリッジともに大きさが均一であるため箱等に収納する場合も便利である。
【００３２】
液体の瓶に薬液等を入れる場合、ガスカートリッジに圧縮炭酸ガス等を入れる場合も雑菌等が入らない状態で入れるため、特に病院等で使用する場合、衛生的で安全に使用することが出来、院内感染の問題も解消することが出来るものである。又在宅介護等の褥瘡、口腔内等の洗浄、消毒、薬液塗布を施行する場合、容易に、的確に目的の部位に噴霧することが出来る。
【００３３】
さらに、病院等の室内だけでなく、屋外での医療的な処置、たとえば災害時における傷口の手当、消毒等の応急処置をする場合も衛生的に使用出来る。
【００３４】
当該災害時等の場合、その場所へ本発明のカートリッジ式携帯噴霧器をヘリコプター等の空輸で運ぶ場合、トラック等で運ぶ場合でも、前述した如く本発明の噴霧器は透明ポリカーボネート及びアルミ軽合金製で出来ているため、壊れにくく、小型であるため場所をとらず、さらに、大きさが均一なため箱等に詰めるのも整理するのも短時間で簡単に出来るため非常に便利である。
【００３５】
扱いに際しても、必要に応じて液体の瓶及びガスカートリッジを差し換えるだけで多目的な状況に応じることが出来、かつ引き金を引いて患部に噴霧するだけなので非常に簡単、便利で、短時間で速やかに処置することが出来る。
【００３６】
なお、本発明のカートリッジ式携帯噴霧器は、液体の瓶に入れることが出来る液体が薬液だけでなく、植物に与えるための水や消毒液、プラスチックのカラー液等種々の液体を入れることが出来るので多目的に使用することが出来るものである。
【図面の簡単な説明】
【図１】本発明のカートリッジ式携帯噴霧器の内部を透視した側面図である。
【図２】噴霧する液体の流れを示した図である。
【符号の説明】
１      噴霧器本体
２      液体の瓶
３      ガスカートリッジ
４      カバー容器
５      先端部分
６      中央部分
７      圧力調整部分
８      嘴管
９      空洞
１０    ネジ状
１１    管
１２    噴射口
１３    空洞部分
１４    引き金
１５    作動軸
１６    弾性部材
１７    蓋部材
１８    空洞
１９    減圧弁
２０    弾性部材
２１    圧力調整つまみ
２２    穴あけ部材
２３    ネジ状
２４    支持部材
２５    弾性部材
２６    パッキング
２７    壁
【図１】
0004649020.tif 000002
【図２】
0004649020.tif 000003